(57)【特許請求の範囲】
【請求項１】
回転自在に支持された主軸と、
前記主軸の先端側に設けられ、回転駆動自在に支持されたガイド部材と、
前記ガイド部材の回転を前記主軸に伝達し、前記主軸の先端に把持された材料を前記主軸とともに回転させる回転伝達手段と、
前記ガイド部材の先端に着脱可能に取り付けられるガイドブッシュとを有する自動旋盤において、
前記ガイドブッシュが取り外された前記ガイド部材側に前記主軸の先端を取り付けて固定する主軸固定手段を有し、
前記ガイド部材に前記ガイドブッシュを取り付けた状態で、前記ガイドブッシュにより前記材料を案内しつつ行う加工と、前記ガイド部材から前記ガイドブッシュを取り外した状態で、前記主軸の先端を前記ガイド部材により支持させて行う加工とを切り替えること、
を特徴とする自動旋盤。
【請求項２】
前記ガイド部材を支持する支持台の進退移動を案内するガイドと、前記支持台を所定位置に位置決めして固定する支持台固定手段とを有し、前記支持台固定手段による前記支持台の固定を解除したときに、前記支持台が前記ガイドに沿って移動可能とし、前記ガイドブッシュを取り外した状態で、前記主軸を回転自在に支持する進退移動自在な主軸台と前記支持台とを一体に進退移動させながら、前記主軸の先端に把持させた材料の加工を行うことを特徴とする請求項１に記載の自動旋盤。
【請求項３】
前記支持台固定手段が、前記ベッド上に位置決めして固定された位置決め部材と、この位置決め部材と前記支持台とを連結するボルトとを有することを特徴とする請求項２に記載の自動旋盤。
【請求項４】
前記位置決め部材と前記支持台との間に所定幅のスペーサを介在させ、前記ガイドブッシュを取り付けたとき又は前記ガイドブッシュを取り外したときに、前記ガイドブッシュ又は前記主軸先端の位置を調整可能としたことを特徴とする請求項３に記載の自動旋盤。
【請求項５】
前記位置決め部材が、前記主軸の先端に把持された前記材料を加工する工具を装着した刃物台を支持する刃物台基台であることを特徴とする請求項３又は４に記載の自動旋盤。
【請求項６】
前記回転伝達手段が、前記ガイド部材の先端側及び終端側で前記主軸と係合する係合部材であることを特徴とする請求項１〜５のいずれかに記載の自動旋盤。
【請求項７】
前記回転伝達手段及び前記主軸固定手段が、前記ガイドブッシュを前記ガイド部材の先端から取り外した後に前記ガイド部材及び前記主軸の先端に取り付けられて固定されたアタッチメントと、このアタッチメントの内周面に形成された係合部と、この係合部と係合するように前記主軸に形成され被係合部とを有することを特徴とする請求項１〜６のいずれかに記載の自動旋盤。
【請求項８】
前記ガイドブッシュを前記ガイド部材から取り外したときに、前記主軸を回転自在に支持する進退移動自在な主軸台と前記ガイド部材を支持する支持台とを連結する連結手段を有することを特徴とする請求項１〜７のいずれかに記載の自動旋盤。
【発明の詳細な説明】
【技術分野】
【０００１】
本発明は、相対的に移動が可能な主軸及び刃物台を有し、前記主軸の先端のチャックに把持させた材料を前記刃物台に装着した工具で加工する自動旋盤に関する。
【背景技術】
【０００２】
ＮＣ（数値制御）自動旋盤のように、種々の自動旋削加工を実施できる工作機械（以下、自動旋盤と総称する）の中には、工具による加工位置の近傍にガイドブッシュを設け、主軸先端のチャックに把持された長尺棒状の材料（以下、棒材と称する）の先端を前記ガイドブッシュに支持させて加工を行うものが知られている（例えば、特開平４−１１５８０４号公報参照）。
【０００３】
ガイドブッシュを使用した棒材の加工は、旋削加工中に棒材の先端の被加工部位に振れが生じないように支持し、それにより長尺な棒材から、長細い製品であっても連続的にかつ高精度に加工することができるという利点がある。
しかしながら、ガイドブッシュを備えた自動旋盤は、上記したような利点はあるものの、ガイドブッシュと棒材との間に微小ながら隙間があるため、この隙間のために棒材ががたつき、さらに高精度な加工を要する製品の加工には適さないという問題がある。
また、棒材の寸法が少なくとも主軸前端のチャックによる把持位置とガイドブッシュ近傍の加工位置までの距離よりも長いことが条件とされるため、これよりも短尺の棒材の加工を行うことができないという問題がある。また、長尺の棒材の加工を行うと、前記把持位置と前記加工位置との間の材料が残材になるという問題がある。
このように、ガイドブッシュを備えた自動旋盤は、一定以上の長さを有する棒材の加工に用途が限られことから、設備コストと加工コストが高くなるという問題がある。
【０００４】
一方、比較的短尺の製品で、かつ、高精度な加工を行う場合や、切削負荷の高い加工条件で加工を行う場合は、ガイドブッシュを適宜に取り外し、ガイドブッシュを用いた加工からガイドブッシュを用いない加工への切り替えを可能にした自動旋盤も提案されている（例えば、特開平９−２２５７０３号公報参照）。
【０００５】
しかしながら、この文献に記載の技術では、ガイドブッシュ無しで加工を行う際には、主軸の先端をガイドブッシュの代わりに取り付けた保護孔に挿入させる必要がある。
そこで、主軸台から主軸の先端を一定長さ突出させているが、主軸台から突出させた部分には支持が無いため、主軸先端がオーバーハングした状態となって剛性が低下し、ガイドブッシュを使用しないで加工を行う必要のある比較的短尺でかつ高い加工精度が要求される製品を加工する場合や、高い切削負荷で加工を行う場合に、主軸の先端が撓んで加工精度を低下させるという問題がある。
【０００６】
また、高い切削負荷で加工を行う際の精度を高めるために、主軸台に保持された主軸の先端にチャック機能を備えたガイドブッシュを保持させ、前記主軸内にチャックを備えた材料送り軸を主軸に対して移動可能に設けた主軸台移動型の旋盤が提案されている（例えば、特許第２７５０３５６号参照）。
しかし、この文献に記載の技術によっても、上記した残材が発生するという問題を解決することはできない。また、ガイドブッシュを開閉させるための機構と、主軸のチャックを開閉させるための機構とが必要になり、自動旋盤の構成が複雑化するうえ、主軸の長さも長くなって、機械全長が大きくなるという新たな問題が生じる。
【０００７】
本発明は上記の問題点にかんがみてなされたもので、材料と同じ速度で回転するガイドブッシュを備え、このガイドブッシュを使用して材料の加工を行う場合と、ガイドブッシュを使用しないで材料の加工を行う場合とで切り替えが容易にでき、ガイドブッシュを使用しないで材料の加工を行う場合にも、主軸を先端又は先端近傍までしっかりと支持して機械剛性を高めることで、加工精度を低下させることのない、簡素でコンパクトな構成であるとともに、上記の切り替え作業を、自動旋盤のメーカー等の担当者でなくても利用者が簡単に行うことのできる自動旋盤の提供を目的とする。
【発明の開示】
【０００８】
本発明の、目的を達成するために、本発明は、回転自在に支持された主軸と、前記主軸の先端側に設けられ、回転駆動自在に支持されたガイド部材と、前記ガイド部材の回転を前記主軸に伝達し、前記主軸の先端に把持された材料を前記主軸とともに回転させる回転伝達手段と、前記ガイド部材の先端に着脱可能に取り付けられるガイドブッシュとを有する自動旋盤において、前記ガイドブッシュが取り外された前記ガイド部材側に前記主軸の先端を取り付けて固定する主軸固定手段を有し、前記ガイド部材に前記ガイドブッシュを取り付けた状態で、前記ガイドブッシュにより前記材料を案内しつつ行う加工と、前記ガイド部材から前記ガイドブッシュを取り外した状態で、前記主軸の先端を前記ガイド部材により支持させて行う加工とを切り替える構成としてある。
【０００９】
この構成によれば、ガイドブッシュを使用して加工を行う場合には、主軸のチャックに材料を把持させ、材料の先端をガイドブッシュに支持させた状態で、主軸とともに材料を移動させながら、刃物台に装着した工具で所定の加工を行う。この際、ガイドブッシュと主軸とは共通の駆動手段によって同期した速度で回転されるので、ガイドブッシュと材料との間にかじりや焼き付きが生ぜず、高速回転での加工が可能になる。
ガイドブッシュを使用しないで材料の加工を行う場合には、ガイドブッシュをガイド部材の先端から取り外し、主軸をガイド部材の内部で移動させて所定位置に位置決めする。そして、主軸固定手段で、主軸をガイド部材に対して固定し、ガイド部材の内部での進退移動を規制するとともに、所定位置に位置決めした状態で固定する。そのため、主軸先端までガイド部材で支持させることが可能になり、主軸先端の機械剛性を高めて高精度な加工が可能になる。
【００１０】
ここで、「主軸軸線方向に相対的に移動が可能」とは、刃物台に装着した工具が、主軸に把持された材料に対して切り込み方向に移動しつつ主軸軸線方向に移動しながら前記材料の加工を行う場合又は刃物台に装着した工具を切り込み方向にのみ送り、材料を主軸とともに主軸軸線方向に移動させながら加工を行う場合が含まれるものとする。
この場合、前記ガイド部材を支持する支持台の進退移動を案内するガイドと、前記支持台を所定位置に位置決めして固定する支持台固定手段とを有し、前記支持台固定手段による前記支持台の固定を解除したときに、前記支持台が前記ガイドに沿って移動可能とし、前記ガイドブッシュを取り外した状態で、前記主軸を回転自在に支持する進退移動自在な主軸台と前記支持台とを一体に進退移動させながら、前記主軸の先端に把持させた材料の加工を行うようにしてもよい。
【００１１】
この構成によれば、ガイドブッシュをガイド部材から取り外して主軸と支持台とを固定状態にし、支持台固定手段による支持台の固定を解除すると、支持台が主軸とともに移動可能になる。すなわち、支持台を自動旋盤の移動主軸台として機能させて加工を行うことが可能になる。
前記支持台をベッド上で固定する支持台固定手段としては、前記ベッド上に位置決めして固定された位置決め部材と、この位置決め部材と前記支持台とを連結するボルトとから構成することができる。
【００１２】
また、前記位置決め部材と前記支持台との間に所定幅のスペーサを介在させ、前記ガイドブッシュを取り付けたとき又は前記ガイドブッシュを取り外したときに、前記ガイドブッシュ又は前記主軸先端の位置を調整できるように構成してもよい。前記位置決め部材は、前記主軸の先端に把持された前記材料を加工する工具を装着した前記刃物台を支持する刃物台基台であってもよい。
本発明においては、前記回転伝達手段を、前記ガイド部材の先端側及び終端側で前記主軸と係合する係合部材として構成することもできる。
【００１３】
このように、先端側と終端側の複数箇所でガイド部材を前記主軸に係合させることで、前記主軸の捩れを抑制することができる。
また、前記回転伝達手段及び前記主軸固定手段を、前記ガイドブッシュを前記ガイド部材の先端から取り外した後に前記ガイド部材及び前記主軸の先端に取り付けられて固定されたアタッチメントと、このアタッチメントの内周面に形成された係合部と、この係合部と係合するように前記主軸に形成され被係合部とを有する構成とすることもできる。
このようにすることで、アタッチメントを取り付けるだけで、主軸の進退移動の規制、主軸の位置決め及び固定だけでなく、ガイド部材から主軸への回転の伝達も可能にする。
ガイドブッシュを取り外したときに、主軸を主軸固定手段で支持台に固定することで、主軸と支持台との連結が行われる。また、前記主軸台と前記ガイドブッシュ支持台とを直接連結する連結手段をさらに設けてもよい。
【００１４】
本発明は上記のように構成されているので、ガイドブッシュの着脱が容易で、ガイドブッシュを用いて加工を行う場合と、ガイドブッシュを用いないで加工を行う場合とで、一台の自動旋盤を切り替えることで迅速に対応することができ、設備コストや加工コストの削減を図ることができる。そして、ガイドブッシュを用いた場合には、細長い製品であっても連続的にかつ比較的高精度に加工を行うことができる。また、ガイドブッシュを用いない場合には、主軸を前記支持台の所定位置に位置決め固定するか、前記ガイド部材及び前記主軸の先端をアタッチメントで固定することにより、剛性のある主軸構成とすることで、比較的短尺の製品を高精度に加工することができ、さらに、高い切削負荷で加工を行うことができる。
【図面の簡単な説明】
【図１】  本発明の自動旋盤の一実施形態にかかり、図１（ａ）は、ガイドブッシュ支持台及び主軸台を含む主要部の構成を説明する断面図、図１（ｂ）は、図１（ａ）の主軸台の正面図である。
【図２】  図１のガイドブッシュ支持台部分を拡大した図である。
【図３】  主軸台前端の軸受６２を設けた部分の拡大図である。
【図４】  図１及び図２の自動旋盤からガイドブッシュを取り外し、ガイドブッシュを備えない自動旋盤へ切り替える切り替え手順を説明する図である。
【図５】  図４の手順に連続する切り替え手順を説明する図である。
【図６】  切り替え後の主軸前端部分の拡大図である。
【図７】  切り替え後の自動旋盤の主軸台を含む主要部を示す断面図である。
【図８】  本発明の他の実施形態にかかり、図８（ａ）は、主軸台の前端部分の拡大断面図、図８（ｂ）は、図８（ａ）の要部をさらに拡大した断面図である。
【図９】  ガイドブッシュ支持台と主軸台とを連結部材で連結した状態を示す拡大断面図である。
【発明を実施する為の形態】
【００１５】
以下、本発明の好適な一実施形態を、図面を参照しながら詳細に説明する。
図１は、本発明の自動旋盤の一実施形態にかかり、図１（ａ）は、ガイドブッシュ支持台及び主軸台を含む主要部の構成を説明する断面図、図１（ｂ）は、図１（ａ）のガイドブッシュ支持台の正面図である。
【００１６】
なお、以下の説明で「前」というときには、棒材を把持するチャックを設けた主軸の前端側、つまり、図１（ａ）において左側を指し、「後」というときには、主軸の後端側、つまり、図１（ａ）において右側を指すものとする。
【００１７】
図１（ａ）に示すように、この実施形態の自動旋盤は、図示しないベッド上に設けられたスライドガイド２と、このスライドガイド２上で前後方向に移動自在な主軸台６と、主軸台６の前方に配置され、スライドガイド２上で前後方向に移動可能な支持台としてのガイドブッシュ支持台１と、主軸台６に回転自在に支持され、かつ、ガイドブッシュ支持台１に対して前後方向に進退移動自在に設けられた主軸３と、主軸３の前方かつ同一の軸線Ｃ上でガイドブッシュ支持台１に回転自在に設けられたガイドブッシュ４と、このガイドブッシュ４から突出させた棒材の加工を行う工具Ｔを複数装着した刃物台５と、主軸台６の内部に設けられ、主軸３の前端に取り付けたコレット３２の開閉を行うコレット開閉部６１と、主軸３を主軸台６とともに前後方向に進退移動させる主軸移動部７とを有している。なお、この実施形態においてスライドガイド２は、図１（ｂ）に示すように、ガイドブッシュ支持台１及び主軸台６の下部両側に軸線Ｃと平行に配置され、スライドガイド２よりも下方に設けられた主軸移動部７によって、主軸台６及びガイドブッシュ支持台１がスライドガイド２に案内されながら、前後に円滑に進退移動できるようになっている。
【００１８】
図２は、図１（ａ）の主軸台部分を拡大した図である。
ガイドブッシュ支持台１の内部にはビルトイン型のモータ１１が組み込まれ、このモータ１１のロータ１１ａには、軸線Ｃを中心に回転するガイドスリーブ１２が取り付けられている。ガイドスリーブ１２は、ガイドブッシュ支持台１の前端側及び後端側で、軸受１３，１３によって回転自在に支持されている。
また、ガイドブッシュ４は、ガイドスリーブ１２の前端に、ガイドブッシュ取付手段である筒状のアタッチメント４１を介して、取り付けられる。このアタッチメント４１は、ガイドブッシュ４の本体部分が収容される大径孔部４１ａと、この大径孔部４１ａの底部に貫通形成され、ガイドブッシュ４の胴部が挿通する小径孔部４１ｂとを有している。
ガイドブッシュ４は、本体部分をアタッチメント４１の大径孔部４１ａに挿入し、小径孔部４１ｂを挿通させた前記胴部の後端にナット４２を螺入することで、アタッチメント４１に取り付けられる。そして、ガイドブッシュ４が取り付けられたアタッチメント４１は、複数本のボルト４３によって、ガイドスリーブ１２の前端に着脱可能に取り付けられる。また、アタッチメント４１の外側には、切削屑等の異物が、ガイドスリーブ１２とアタッチメント４１との間の隙間からガイドブッシュ支持台１の内部に侵入しないようにするために、筒状のカバー４５が取り付けられる。このカバー４５は、複数本のボルト４６によって、ガイドブッシュ支持台１の前端面に取り付けられる。
【００１９】
刃物台５は、図示しないベッドに固定された刃物台基台５１と、この刃物台基台５１のガイド５２に案内されながら刃物台基台５１に対してＹ方向（紙面に直交する方向）に進退移動自在なサドル５３と、このサドル５３に設けられたガイド５４に案内されながら、サドル５３に対してＸ方向（図の上下方向）に進退移動自在な刃物装着部５５とを有する。複数の工具Ｔは、刃物装着部５５に櫛歯状に配列されて取り付けられる。そして、刃物装着部５５をＹ方向に移動させて複数の工具Ｔの中から加工に使用する所定の工具Ｔの割り出しを行い、当該工具Ｔの刃先をガイドブッシュ４の近傍に位置させて棒材の加工を行う。
【００２０】
なお、ガイドブッシュ支持台１は、複数本のボルト１５によって刃物台基台５１に取り付けられていて、ガイドブッシュ４を使用して棒材の加工を行う場合は、スライドガイド２上で移動しないように、つまり固定状態とされている。
また、この実施形態のように、ガイドブッシュ支持台１を刃物台基台５１に取り付けてその移動を規制する場合は、ガイドブッシュ支持台１から刃物台基台５１に熱が伝わらないようにするために、ボルト１５はセラミック等の低伝熱性の材料で形成したものを用いるとよい。また、ガイドブッシュ支持台１と刃物台基台５１との接触部に、低伝熱性の材料で形成したスペーサを介在させるとよい。
【００２１】
主軸３には、貫通孔３ａが軸線Ｃと同心上に形成され、その外周面には、軸線Ｃと同方向にスプライン３１が形成されている。一方、ガイドスリーブ１２の後端には、環状の円板１４が取り付けられ、その内周面に形成されたスプライン溝１４ａが主軸３のスプライン３１と噛合するようになっている。ガイドスリーブ１２の回転は、スプライン溝１４ａ及びスプライン３１を介して、主軸３に伝達される。
主軸３の前端部分は、他の部分より小径に形成され、かつ、外周面に螺子溝が形成された小径部３ｂとして形成されている。そして、この小径部３ｂに、棒材を把持するコレット３２が取り付けられている。コレット３２は、コレット３２の開閉を行わせるカムが形成されたコレットスリーブ３４とともに、筒状のキャップナット３３の内部に収容され、このキャップナット３３を小径部３ｂに螺着することで、主軸３の前端に取り付けられる。
【００２２】
また、コレット３２よりも後方に位置する小径部３ｂの外周面には、軸線Ｃと同方向に一つ又は複数のキー溝が形成され、このキー溝にキー３６が嵌め込まれている。このキー３６は、ガイドブッシュ４を使用しないで棒材の加工を行う際に、ガイドスリーブ１２と主軸３とを係合させて、ガイドスリーブ１２の回転を主軸３に伝達する回転伝達部材として機能する。
そのため、ガイドブッシュ４を使用して棒材の加工を行う際には、キー３６が機能しないように、主軸３の小径部３ｂに外嵌されたスリーブ３７の内側に収容されている。スリーブ３７の内周面には、キー溝３７ａが形成されていて、主軸３の小径部３ｂにスリーブ３７が外嵌されると、キー溝３７ａとキー３６とが係合する。また、このスリーブ３７は、小径部３ｂに螺入されたナット３８によって、小径部３ｂの後端に形成された段部に押し付けられ、小径部３ｂの所定位置で固定されるようになっている。
なお、前記したキャップナット３３及びスリーブ３７の外径は、主軸３の前端をガイドスリーブ１２内で支持させるために、ガイドスリーブ１２の内径と一致するように形成するのが好ましい。
【００２３】
コレット３２の開閉を行わせるドローバ３５の内部には、軸線Ｃと同一の軸線上に、棒材が挿通できる貫通孔３５ａが形成されている。また、ドローバ３５の前端は、コレットスリーブ３４の後端に突き当てられていて、ドローバ３５が前身してコレットスリーブ３４を前方に押すことで、コレットスリーブ３４の前端内周面に形成されたカムでコレット３２を閉塞させる。コレットスリーブ３４の内部には、戻しばね３４ａが設けられていて、ドローバ３５が後退すると、この戻しばね３４ａによりコレットスリーブ３４が押し戻されて、コレット３２を開放させる。ドローバ３５の進退移動は、主軸３の後端側の主軸台
６の内部に設けられたコレット開閉部６１によって行われる。
図１に示すように、主軸台６の前端には、軸受ホルダ６４によって軸受６２が取り付けられている。主軸３の後端は、この軸受６２によって回転自在に支持されている。
【００２４】
図３は、主軸台前端の軸受６２を設けた部分の拡大図である。
軸受ホルダ６４の前端側に位置する主軸３の外周面には、径方向外側に張り出すフランジ３９が形成され、このフランジ３９と主軸３の後端から螺入されたナット６３ａ及びスリーブ６３ｂとで、軸受６２の内輪６２ａが前後から挟持されている。また、軸受ホルダ６４の前端には、径方向内側に張り出す突起６４ａが形成され、軸受ホルダ６４の後端にはリング状の押さえ部材６５が取り付けられている。そして、突起６４ａと押さえ部材６５とで、軸受６２の外輪６２ｂが前後から挟持されている。
以上により、軸受ホルダ６４がボルト８で主軸台６に固定されると、主軸台６に対する主軸３の軸線Ｃ方向の移動が規制される。
【００２５】
主軸台６は、スライドガイド２に案内されながら軸線Ｃと同方向に進退移動自在で、この主軸台６とともに主軸３を進退移動させる主軸移動部７が、主軸台６の下方に設けられている。
主軸移動部７は、軸線Ｃと同方向に伸びる螺子軸７１と、この螺子軸７１を回転させるモータ７３と、螺子軸７１に螺入されたナット７２とを有している。
主軸台６は、ナット７２に連結されていて、モータ７３の駆動にともなう螺子軸７１の回転によって、ナット７２とともに軸線Ｃと同方向に進退移動する。
【００２６】
上記構成の自動旋盤においては、主軸３の後端から、貫通孔３ａを挿通させて棒材を供給する。そして、棒材の前端をガイドブッシュ４から所定長さ突出させた状態でドローバ３５を前進させ、コレット３２を閉じて棒材を把持させた後、主軸３とともに棒材を回転させ、かつ、主軸移動部７で主軸３とともに棒材を軸線Ｃと同方向（Ｚ方向）に所定長さずつ送りながら、工具Ｔで所定の加工を行う。
【００２７】
次に、上記構成の自動旋盤からガイドブッシュ４を取り外し、ガイドブッシュ４を備えない自動旋盤へ切り替える切り替え手順を、図４及び図５を参照しながら説明する。
まず、図４（ａ）に示すように、刃物装着部５５をＸ方向に移動させて、切り替え作業に支障を与えない位置まで、工具Ｔをガイドブッシュ４から遠ざける。
次いで、図４（ｂ）に示すように、複数本のボルト４６を取り外して、カバー４５をガイドブッシュ支持台１から取り外し、さらに、複数本のボルト４３を取り外して、アタッチメント４１及びガイドブッシュ４をガイドスリーブ１２から取り外す。また、ガイドブッシュ支持台１と刃物台基台５１とを連結している複数本のボルト１５を取り外して、ガイドブッシュ支持台１の固定を解除し、スライドガイド２上で移動可能にする。
そして、主軸移動部７のモータ７３を駆動させて主軸台６とともに主軸３を前進させ、コレット３２をガイドスリーブ１２の前端から突出させる。この状態で、図４（ｃ）に示すように、コレット３２を主軸３の前端に固定しているキャップナット３３、ナット３８及びキー３６を保持しているスリーブ３７を順番に主軸３の前端から取り外す。
【００２８】
次に、図５（ａ）に示すように、切り替え後に主軸３の前端を支持するとともに、主軸３をガイドブッシュ支持台１に対して進退移動しないように固定するためのアタッチメント１７を準備する。
このアタッチメント１７は、主軸３の小径部３ｂの外径と同一の内径を有し、かつ、ガイドスリーブ１２の内径と同一の外径を有する筒状の胴部１７ａと、この胴部１７ａの前端に形成されたフランジ１７ｂとを有している。また、アタッチメント１７の内周面には、キー３６と係合するキー溝１７ｃが形成されている。フランジ１７ｂには、ガイドブッシュ４を取り付けるためにガイドスリーブ１２の前端に形成された螺子孔の位置に合わせて、複数のボルト孔が形成されている。アタッチメント１７は、このボルト孔を挿通させた複数本のボルト１８によって、ガイドスリーブ１２の前端に取り付けられる。
【００２９】
次いで、図５（ｂ）に示すように、図４（ｃ）に示す手順で小径部３ｂから取り外したナット３８とキャップナット３３を順次、小径部３ｂに螺着する。そして、ナット３８を小径部３ｂに締め付け、小径部３ｂの後端に形成された段部とナット３８とでアタッチメント１７を挟み付ける。これにより、ガイドブッシュ支持台１に対する主軸３の進退移動が規制される。すなわち、この実施形態では、ナット３８，アタッチメント１７及びキー３６が、ガイドブッシュ支持台１の所定位置で主軸３を位置決めして固定する主軸固定手段を構成する。
以上で、切り替えが終了する。
【００３０】
図６は、上記手順で切り替えを行った後の主軸前端の部分拡大図、図７は、切り替え後の自動旋盤の主要部を示す断面図である。
図６に示すように、小径部３ｂに外嵌された状態でガイドスリーブ１２に取り付けられたアタッチメント１７の後端が、小径部３ｂの後端の段部に当接して主軸３の前進を規制し、小径部３ｂに螺着されたナット３８がアタッチメント１７の前端に当接して主軸３の後進を規制している。また、アタッチメント１７のキー溝１７ｃとキー３６とが係合することで、ガイドスリーブ１２の回転が主軸３に伝達されるようになっている。
このように、この実施形態では、ガイドスリーブ１２から主軸３への回転の伝達は、ガイドスリーブ１２の前端側と後端側の二箇所で行われるため、棒材の加工を行う際に主軸３が捩れにくいという利点がある。
【００３１】
また、切り替え後にガイドブッシュ支持台１はスライドガイド２にされながら軸線Ｃと同方向に進退移動が可能になるが、ガイドブッシュ支持台１は、アタッチメント１７及びガイドスリーブ１２を介して主軸３と連結されるので、主軸３を進退移動させる主軸移動部７により、ガイドブッシュ支持台１と主軸台６及び主軸３とが一体になって軸線Ｃと同方向に進退移動することになる。すなわち、切り替え後には、図７に示すように、ガイドブッシュ支持台１と主軸台６とで、移動可能な主軸台が形成されるわけである。
そして、図６に示すように、主軸３の前端から所定長さ突出させた状態で棒材Ｗをコレット３２で把持させ、工具Ｔに対して主軸３をガイドブッシュ支持台１とともにＺ方向に送りながら、棒材Ｗの加工を行う。
【００３２】
図８及び図９は、本発明の他の実施形態にかかり、図８（ａ）は、主軸台の前端部分の拡大断面図、図８（ｂ）は、図８（ａ）の要部をさらに拡大した断面図、図９は、ガイドブッシュ支持台と主軸台とを連結部材で連結した状態を示す拡大断面図である。
なお。図８及び図９において、先の実施形態と同じ部位、同じ部分には同一の符号を付して詳しい説明は省略する。
上記の実施形態では、アタッチメント１７及びガイドスリーブ１２を介して主軸台６とガイドブッシュ支持台１とを連結しているが、この実施形態では、図９に示すように、さらに別の連結手段（連結部材６６）を用いて、ガイドブッシュ支持台１と主軸台６とを連結するようにしている。このように、他の連結手段を用いることで、主軸３をガイドブッシュ支持台１及び主軸台６とともに移動させる際に、主軸３に作用する負荷を軽減することができるという利点がある。
【００３３】
図８（ａ）に示すように、軸受６２を保持する軸受ホルダ６４は、ボルト８によって主軸台６から脱落しないように、かつ、主軸台６に対して回転しないように、主軸台６の前端面に少なくとも一本のボルト８で取り付けられている。
図８（ｂ）に示すように、ボルト８には、ワッシャ８１とスリーブ８２とが嵌装されている。このボルト８とワッシャ８１及びスリーブ８２は、軸受ホルダ６４のフランジ部分に形成されたボルト孔６４ｂに挿入され、ボルト孔６４ｂの底部に形成された貫通孔６４ｃを挿通して、主軸台６の前端面の螺子孔に螺入される。スリーブ８２の長さ（軸線Ｃ方向の長さ）は、ボルト孔６４ｂの底部の肉厚よりも大きく形成されているので、ボルト８を締め付けると、軸受ホルダ６４のフランジ部分と主軸台６の前端面との間及びワッシャ８１とボルト孔６４ｂの底部との間に若干量の隙間Ｓが形成される。この隙間Ｓの寸法は、主軸台６の前端部分における主軸３の熱膨張量の最大値よりも大きくするとよい。この実施形態では、この隙間Ｓが、主軸３の熱膨張による寸法変化を吸収する熱膨張吸収部を構成する。また、この実施形態では、ボルト８及びスリーブ８２が、軸受ホルダ６４と主軸台６との間に隙間を形成し、かつ、軸受ホルダ６４が主軸台に対して回転しないようにする取付部材を構成する。
さらに、図８（ａ）に示すように、軸受ホルダ６４の周囲には、二つ割若しくは三つ割の軸受固定部材６９が環状に配置され、軸受ホルダ６４と係合させた状態で、ボルト６９ａにより主軸台６の前端面に取り付けられる。また、軸受ホルダ６４と軸受固定部材６９とは、複数本のボルト６９ｂで連結される。これにより、軸受ホルダ６４が軸受固定部材６９を介して主軸台６に固定される。
【００３４】
主軸３と軸受ホルダ６４とは、先に説明したように互いに移動しないように規制されているので、軸受固定部材６９を介して軸受ホルダ６４が主軸台６に固定されることで、主軸台６に対する主軸３の進退移動も規制される。すなわち、この実施形態では、軸受ホルダ６４が、主軸３と係合して主軸台６に対する主軸３の進退移動を規制する規制手段の係合部材を構成する。
【０００１】
ガイドブッシュ４を取り外した後には、図９に示すように、ガイドブッシュ支持台１と主軸台６とを、連結部材６６によって連結する。連結部材６６によるガイドブッシュ支持台１と主軸台６との連結の手順は、以下のとおりである。
先の実施形態において説明した主軸３とガイドブッシュ支持台１とを連結する手順に先立ち、主軸台６をガイドブッシュ支持台１から後退させて、主軸台６とガイドブッシュ支持台１との間に十分な空間を確保する。そして、ボルト６９ａを取り外して、軸受ホルダ６４を主軸台６に固定している軸受固定部材６９を、主軸台６の前端面から取り外す。この後、主軸台６の前端面の軸線Ｃを中心とする円周上に連結部材６６を配置してボルト６７ｂで主軸台６の前端面に取り付ける。
そして、図４（ｂ）を参照しながら説明した手順を行った後に、ガイドブッシュ支持台１又は主軸台６を互いに接近させる方向に移動させて、ガイドブッシュ支持台１の後端面を連結部材６６に当接させる。この後、ボルト６７ａを締め付けて、ガイドブッシュ支持台１と主軸台６とを連結する。
この場合、軸受固定部材６９を主軸台６から取り外すと、主軸台３に対する軸線Ｃ方向の軸受ホルダ６４の固定が解除されるが、主軸３は、ガイドブッシュ支持台１に進退移動しないように取り付けられるため、連結部材６６で主軸台６とガイドブッシュ支持台１とを連結した後は、軸受固定部材６９を取り外しても主軸３及び軸受ホルダ６４が主軸台６に対して自由に進退移動するということはない。主軸３がモータ１１のロータ１１ａの熱によって膨張すると、この熱膨張にともなって、軸受ホルダ６４が隙間Ｓの範囲内で移動し、主軸３の熱膨張を吸収する。
【０００１】
この実施形態においては、切り替えの際に、作業者は軸受ホルダ６４を主軸台６の前端面に取り付けているボルト８を取り外したり緩めたりする必要が一切なく、熟練した作業者や、自動旋盤を製作・販売したメーカー等の担当者でなくても、簡単かつ迅速に切り替え作業を行うことができるという利点がある。
また、ボルト８によって、軸受ホルダ６５が主軸台６から離脱することがなく、軸受ホルダ６５が主軸台６から離脱することによる主軸３が芯ずれを回避し、かつ、作業者の安全も確保することができる。
【００３５】
本発明の好適な実施形態について説明したが、本発明は上記の実施形態により何ら限定されるものではない。
例えば、上記の説明では、切り替え後に主軸台６がガイドブッシュ支持台１とともに移動する主軸移動型の自動旋盤を例に挙げて説明したが、Ｚ方向に移動可能な刃物台を有する場合は、主軸台６及びガイドブッシュ支持台１をベッド上に固定した主軸固定型の自動旋盤でも本発明の適用が可能である。この場合は、切り替えを行う際にガイドブッシュ支持台１と刃物台基台５１とを連結しているボルト１５を取り外すことなく、主軸移動部７の駆動系を自動旋盤の制御系から切り離すとよい。
また、刃物台基台５１とガイドブッシュ支持台１の前端面との間に、所定幅のスペーサを介在させ、例えば、ガイドブッシュ４を取り付けたときにこのスペーサをガイドブッシュ支持台１から取り外すようにすることで、切り替え前後でガイドブッシュ４又は主軸３の前端の位置を調整できるようにすることも可能である。
【産業上の利用可能性】
【００３６】
本発明は、主軸移動型の自動旋盤、主軸固定型の自動旋盤に適用が可能で、棒材の送り、停止、工具の割り出し、位置決め、工具による棒材の加工、加工された製品の突っ切りをプログラムに従って行う数値制御自動旋盤にも適用が可能である。
また、自動旋盤の後方に配置された棒材供給装置から長尺の棒材の供給を行うタイプの自動旋盤に限らず、ロボットハンド等によって主軸前端のコレットに比較的短尺の棒状の材料を供給するタイプの自動旋盤にも適用が可能である。さらに、本発明は、ガイドブッシュ支持台の内部にモータを組み込んだビルトイン型の自動旋盤に限らず、ガイドブッシュ支持台の外側にモータを設け、このモータの駆動力を、ベルト・プーリ等の駆動力伝達機構によって主軸に伝達するタイプの自動旋盤にも適用が可能である。
0004455500.tif 000002
0004455500.tif 000003
【図２】
0004455500.tif 000004
【図３】
0004455500.tif 000005
【図４】
0004455500.tif 000006
【図５】
0004455500.tif 000007
【図６】
0004455500.tif 000008
【図７】
0004455500.tif 000009
【図８】
0004455500.tif 000010
【図９】
0004455500.tif 000011